(57)【特許請求の範囲】
【請求項１】
パウチのサイドシール部に、折り曲げ部を介して対称配置される一対の係合部を有するパウチであって、
サイドシール部の折り曲げ部又はその近傍に、局部的に曲げ剛性を低くする折曲補助手段が設けられ、
前記係合部はサイドシール部の外側縁及び内側縁に間隙を有して設けられ、
前記係合部の構成は、サイドシール部の中途部に切り目を設けて形成される係止片と、前記切れ目の開放端から延びる一対の連結部用切れ目によって形成される連結部と、を有する構成で、
前記一対の係合部のうち、一方の係合部の連結部用切れ目には、該連結部用切れ目間の間隔を局部的に狭める幅狭部が設けられ、パウチを折り曲げて重なり合った一対の係合部の係止片を押し込むことにより、一方の係止片に連なる連結部の側縁が他方の係止片に連なる連結部の幅狭部を乗り越え、連結部の縁に幅狭部が係合して結合する構成となっていることを特徴とするパウチ。
【請求項２】
前記折曲補助手段が前記サイドシール部の内側縁と間隙を有して設けられる請求項１に記載のパウチ。
【請求項３】
前記折曲補助手段が前記サイドシール部の外側縁と間隙を有して設けられる請求項２に記載のパウチ。
【請求項４】
前記折曲補助手段に切裂防止手段が設けられている請求項１乃至３のいずれかの項に記載のパウチ。
【請求項５】
前記折曲補助手段は連続的あるいは断続的な切れ目である請求項１乃至４のいずれかの項に記載のパウチ。
【請求項６】
前記係合部が設けられている前記サイドシール部の一部が、該サイドシール部の他の内側縁よりパウチ内方に突出して幅広部となっている請求項１乃至５のいずれかの項に記載のパウチ。
【請求項７】
前記サイドシール部には、前記一対の係合部と併設される他の一対の係合部を有し、
前記サイドシール部の側縁と平行方向を上下方向とすると、前記一対の係合部の一方の連結部は係止片に対して上方、他方の係合部の連結部は係止片に対して下方に向いた構成であり、
他の一対の係合部のうち一方の係合部は、サイドシール部の内側縁側が一部開いたループ形状の切れ目によって形成され、該切れ目の開放端側を固定端とする片持ち形状の係止片として構成され、上下に張り出す上部張り出し部と下部張り出し部を備え、一方、他方の係合部もサイドシール部の内側縁側が一部開いたループ形状の切れ目によって形成され、切れ目の開放端側を固定端とする片持ち形状の係止片として構成され、
前記パウチを折り曲げて重なり合った他の一対の係合部の係止片を押し込むと、一方の係止片の上部張り出し部と下部張り出し部が、弾性変形して他方の係止片の切れ目を通り抜けた後に弾性復帰し、切れ目の外縁部に係合して結合される請求項1乃至６のいずれか
の項に記載のパウチ。
【発明の詳細な説明】
【技術分野】
【０００１】
本発明は、たとえば、樹脂フィルムで構成されるパウチの一部を折り曲げ、折り曲げられたパウチの一部をパウチ本体部に折り重ねて係止するパウチに関する。
【背景技術】
【０００２】
従来から、特許文献１、２に記載のように、内容物を使用する都度、パウチの上部を折り曲げて本体部に仮固定できる再封可能なパウチが知られている。
【０００３】
特許文献１に記載のパウチは、左右側部をシールするサイドシール部に、パウチを折り曲げ部で折り返した時に、互いに重なり合う位置に係合可能な係止部を設けたものである。この係止部は、サイドシール部の外側から内側に向けて穿設された鉤状の切れ目線によって互いに係合する係止片を構成し、各係止片の付け根部は上下逆側に位置するようにし、パウチ上部側の係止片を本体側の係止片の裏側に、パウチ本体側の係止片をパウチ上部側の係止片の裏側に位置するように係合させて仮固定する構成となっている。
【０００４】
また、特許文献２に記載の包装袋（パウチ）は、少なくとも一部がヒートシールによって封鎖されており、このヒートシール部の開封案内部より包装袋本体部寄りの位置に２つの切込みを設けてそれぞれ係止片と係止部とを形成した構成とされており、包装体を折り返した際に、前記係止片と係止部とを互いに係止させて仮固定する構成となっている。
【０００５】
しかしながら、いずれのパウチにおいても、パウチを折り曲げる際には、フィルムがヒートシールされた剛性のあるサイドシール部やヒートシール部を折り曲げるので、折り曲げにくい。また、サイドシール部やヒートシール部の折り曲げ部が一定せず、係止片の位置合わせが難しく、係止片の係合作業がしづらいという問題があった。
また、係止片を係合させてパウチの一部を本体部に仮固定した状態下では、折り曲げ部には、弾性復帰力によって折り曲げ部を開く方向のモーメントが作用しており、折り曲げられる平面フィルム及びサイドシール部の剛性が高いと、仮固定された係止片を外す方向の力が大きくなり、係止片が変形して外れやすい。
また、パウチを握った場合のように、パウチに外力が作用すると、内部の空気や内容物がパウチ上部側に流動し、流動圧によって折り曲げられたパウチ上部が起き上がる方向に復元し易く、係止片に一層大きな力が作用し、外れやすいといった問題もある。  
さらに、いずれのパウチにおいても、開封後にユーザーが仮封出来るようにしたものであるため、係合部の掛け外しが簡単なことが優先しており、シールされた状態のパウチを折り曲げて、しっかり固定することには使用することができない。
【０００６】
例えば、特許文献１に記載のパウチは、鉤状の切れ目線によってサイドシール部の外側縁が切れているので、切れ目線の上下がねじれるように変形した場合、切れ目が開き、係止片が外れやすくなる。特に、内容物が充填されてパウチが膨らんでいる場合には、切れ目線に力が加わり、切れ目が大きく開くことで一層外れやすくなる。また、特許文献２に記載のパウチにおいても、折り曲げ部において弾性復帰力が生じている点については同様であり、その対策については記されていない。
【先行技術文献】
【特許文献】
【０００７】
【特許文献１】特開２００６−１９９３３４号公報
【特許文献２】特開２００６−２４０６９１号公報
【発明の概要】
【発明が解決しようとする課題】
【０００８】
本発明は、上記した従来技術の問題点を解決するためになされたもので、その目的とするところは、パウチの一部が本体部に対して折り曲げられたパウチであって、パウチの一部を本体部に対して折り曲げ易く、係止片の係合作業が容易で、かつ係合部が外れにくく、強固に固定できる構造のパウチを提供することにある。
【課題を解決するための手段】
【０００９】
上記目的を達成するために、本発明のパウチは、パウチのサイドシール部に、折り曲げ部を介して対称配置される係合部を有するパウチであって、サイドシール部の折り曲げ部又はその近傍に、局部的に曲げ剛性を低くする折曲補助手段が設けられ、
前記係合部はサイドシール部の外側縁及び内側縁に間隙を有して設けられ、
前記係合部の構成は、サイドシール部の中途部に切り目を設けて形成される係止片と、前記切れ目の開放端から延びる一対の連結部用切れ目によって形成される連結部と、を有する構成で、
前記一対の係合部のうち、一方の係合部の連結部用切れ目には、該連結部用切れ目間の間隔を局部的に狭める幅狭部が設けられ、パウチを折り曲げて重なり合った一対の係合部の係止片を押し込むことにより、一方の係止片に連なる連結部の側縁が他方の係止片に連なる連結部の幅狭部を乗り越え、連結部の縁に幅狭部が係合して結合する構成となっていることを特徴とする。
【００１０】
本発明は次のように構成することもできる。
１．前記折曲補助手段が前記サイドシール部の内側縁と間隙を有して設けられる。
【００１１】
２．前記折曲補助手段が前記サイドシール部の外側縁と間隙を有して設けられる。
【００１２】
３．前記折曲補助手段に切裂防止手段が設けられている。
４．前記折曲補助手段は連続的あるいは断続的な切れ目である。
【００１３】
５．前記係合部が設けられている前記サイドシール部の一部が、該サイドシール部の他の内側縁よりパウチ内方に突出して幅広部となっている。
６．前記サイドシール部には、前記一対の係合部と併設される他の一対の係合部を有し、
前記サイドシール部の側縁と平行方向を上下方向とすると、前記一対の係合部の一方の連結部は係止片に対して上方、他方の係合部の連結部は係止片に対して下方に向いた構成であり、
他の一対の係合部のうち一方の係合部は、サイドシール部の内側縁側が一部開いたループ形状の切れ目によって形成され、該切れ目の開放端側を固定端とする片持ち形状の係止片として構成され、上下に張り出す上部張り出し部と下部張り出し部を備え、一方、他方の係合部もサイドシール部の内側縁側が一部開いたループ形状の切れ目によって形成され、切れ目の開放端側を固定端とする片持ち形状の係止片として構成され、
前記パウチを折り曲げて重なり合った他の一対の係合部の係止片を押し込むと、一方の係止片の上部張り出し部と下部張り出し部が、弾性変形して他方の係止片の切れ目を通り抜けた後に弾性復帰し、切れ目の外縁部に係合して結合される。
【発明の効果】
【００１４】
本発明によれば、折曲補助手段によって、サイドシール部の折り曲げ部と重なる部分について局部的に曲げ剛性を低下させているので、パウチの一部をパウチ本体部に対して折り曲げ易い。
また、折り曲げ部が一定するため、係合部の位置合わせも容易となって、係合部の係合作業も容易となる。
さらに、係合部を係合させて仮固定とした状態においても、弾性復帰力に起因する折り曲げ部を開く方向のモーメントも小さく、係合部の変形も小さくなり、係合部が外れにくい。
特に、前記係合部をサイドシール部の中途部に設けたこと、加えて連結部用切れ目に設けられた幅狭部によって、係止片を保持可能としているので、前記係合部に一層大きな力が作用した場合であっても、前記係合部を外れにくい構造とすることができる。
【００１５】
係合部をサイドシール部の中途部に設けたことで、係合部に一層大きな力が作用した場合であっても、係合部を外れにくい構造とすることができる。
また、パウチの一部を折り曲げると、パウチ本体部の内圧が折り曲げ前と比べて高まるため、平面フィルムが前後に膨らんで把持しやすい形状となる。
これに伴って、パウチを折り曲げたままで運搬及び収容することが可能となり、搬送効率および収容効率に優れたパウチを供することができる。
【００１６】
折曲補助手段が前記サイドシール部の内側縁と間隙を有して設けられることで、折曲補助手段からパウチ内側に裂ける恐れが低減される。
加えて、前記折曲補助手段が前記サイドシール部の外側縁と間隙を有して設けられることで、折り曲げ部分に荷重がかかっても、切れ目が開きにくく、折曲補助手段からパウチ内側に裂ける恐れが一層低減される。
【００１７】
また、前記折曲補助手段に切裂防止手段が設けられていることで、折曲補助手段からパウチ内側に裂ける恐れがより一層低減され、内容物の漏洩を防止することができる。
また、前記折曲補助手段は連続的あるいは断続的な切れ目であることで、簡単な構成で局部的に曲げ剛性を低下させることができ、パウチを折り曲げ易くすることができる。
【００１８】
６．前記係合部が設けられている前記サイドシール部の一部が、該サイドシール部の他の内側縁よりパウチ内方に突出して幅広部となっていることで、係合部の配置・形状などの自由度が増し、結合強度やパウチの折り曲げ位置の調整を容易とすることができ、また、パウチを折り曲げた際のパウチの形状が安定するとともに、持手として前記幅広部を用いることで把持しやすいパウチとなっている。
【図面の簡単な説明】
【００１９】
【図１】図１は本発明の実施の形態１に係るパウチの構成を示すもので、（Ａ）は折り曲げ前の正面図、（Ｂ）は折り曲げ後の正面図、（Ｃ）は折り曲げ後の背面図、（Ｄ）は折り曲げ後の側面図である。
【図２】図２（Ａ）は図１のパウチのサイドシール部に設けた第１係合部の構成を示す拡大図、（Ｂ）は（Ａ）の折り曲げ形態で第１係合部が係合した状態を示す図、(Ｃ)は折曲補助手段と切裂防止手段の他の形態例を示す部分図である。
【図３】図３は図２の第１係合部をさらに拡大して示すもので、（Ａ）はサイドシール部上部とサイドシール部本体部を離して示した部分拡大斜視図、（Ｂ）は上部側切れ目と本体部側切れ目を重ねて示した図、（Ｃ）は第１係合部をサイドシール部上部側から見た部分拡大図、（Ｄ）は第１係合部をサイドシール部本体部側から見た部分拡大図である。
【図４】図４は本発明の参考例である第２係合部を拡大して示すもので、（Ａ）は第２係合部の構成を示す拡大図、（Ｂ）は（Ａ）の折り曲げ形態で第２係合部が係合した状態を示す図、（Ｃ）は（Ｂ）の断面図である。
【図５】図５は本発明の参考例である第３係合部を拡大して示すもので、（Ａ）は第３係合部の構成を示す拡大図、（Ｂ）は（Ａ）の折り曲げ形態で第３係合部が係合した状態を示す図、（Ｃ）は（Ｂ）の断面図である。
【図６】図６は本発明の参考例である第４係合部を拡大して示すもので、（Ａ）は第４係合部の構成を示す拡大図、（Ｂ）は（Ａ）の折り曲げ形態で第４係合部が係合した状態を示す図、（Ｃ）は（Ｂ）の断面図である。
【図７】図７は第１係合部および第５係合部を拡大して示すもので、（Ａ）は第１係合部および第５係合部の構成を示す拡大図、（Ｂ）は（Ａ）の折り曲げ形態で第１係合部および第５係合部が係合した状態を示す図である。
【図８】図８は本発明の実施の形態２に係るパウチの構成を示すもので、（Ａ）は折り曲げ前の正面図、（Ｂ）は折り曲げ後の正面図、（Ｃ）は折り曲げ後の背面図、（Ｄ）は折り曲げ後の側面図である。
【発明を実施するための形態】
【００２０】
以下に、本発明の実施の形態を、図面を参照して詳細に説明する。
[実施の形態１] 
図１は、本発明の実施の形態１に係るパウチを示している。
図１（Ａ）に示すように、パウチ１の折曲前の基本構成は、いわゆるスタンディングパウチであって、互いに接着された前後一対の平面フィルム２を備え、前後の平面フィルム２の下端部に底部フィルム３が二つ折り状態で接着されている。平面フィルム２は四角形状で、左右両側辺部および上辺部が所定幅でヒートシールされ、左右両側辺部はサイドシール部４、上辺部が上辺シール部５となっている。また、前後一対の平面フィルム２と底部フィルム３とが底部シール部６にてヒートシールされ、さらに平面フィルム２下端部の外側縁同士はポイントシール部７にてヒートシールされている。そして、パウチ１に液体や流動物等の内容物Ｗが充填されると、内容物Ｗの圧力によって平面フィルム２が前後に膨らんで正立する。
【００２１】
パウチ１は内容物Ｗの上面（液体の場合は液面、粉粒体の場合はその上面）を大凡の目安として折り曲げられるが、前後一対の平面フィルム２を横断する折り曲げ予定部分が折り曲げ部８である。また、この折り曲げ部８を境界としてパウチ上方をパウチ上部１Ａ、パウチ下方をパウチ本体部１Ｂとする。すなわち、パウチ上部１Ａは内容物Ｗの上面（液体の場合は液面）より上方のヘッドスペース対応部分、パウチ本体部１Ｂは内容物Ｗの上面より下方の内容物充填部におよそ対応している。そしてパウチ上部１Ａは、折り曲げ部８を介してパウチ本体部１Ｂに対して折り曲げられ、図１（Ｂ）に示すように、安定した三次元形状のパウチ１を構成する。そして、パウチ上部１Ａに図示しないノッチ等を設けることで、開封して内容物Ｗを取り出すことができる。
なお、上述した各フィルムは、一般的には、ポリプロピレンやポリエチレン等の軟質樹脂層と、ポリエステル，ナイロン等の硬質樹脂層が積層された積層フィルムが使用され、軟質樹脂層がヒートシールされている。
【００２２】
また、パウチ１は、パウチ上部１Ａのサイドシール部上部４Ａと、パウチ本体部１Ｂのサイドシール部本体部４Ｂに、切れ目からなる第１係合部１０Ａ,１０Ｂが設けられてい
る。第１係合部１０Ａ,１０Ｂは、サイドシール部上部４Ａとサイドシール部本体部４Ｂ
の外側縁と内側縁の間の中途部に、パウチ上部１Ａとパウチ本体部１Ｂの境界となる折り曲げ部８の折り曲げ予定線８ａに対して線対称の形状となるよう設けられている。
そして、図１（Ｂ）〜（Ｄ）に示すように、パウチ上部１Ａをパウチ本体部１Ｂに対して折り曲げ予定線８ａ位置で折り曲げ、折り曲げたパウチ上部１Ａのサイドシール部上部４Ａと、パウチ本体部１Ｂのサイドシール部本体部４Ｂを互いに重ね合わせると、第１係合部１０Ａ、１０Ｂも互いに重なり合い、重ね合わせたサイドシール部上部４Ａとサイドシール部本体部４Ｂ間を結合状態とするよう構成されている。
【００２３】
また、サイドシール部４の折り曲げ予定線８ａと重なる位置又はその近傍に、パウチ上部１Ａを折り曲げやすく、かつ折り曲げ部８にかかる弾性復帰力によって発生する折り曲げ部８を開く方向のモーメントを低減するために、局部的に曲げ剛性を低くする折曲補助手段８ｂが設けられている。
図２には、第１係合部１０Ａ、１０Ｂと共に、この折曲補助手段８ｂ及び切裂防止手段８ｃを詳細に示している。
本実施の形態では、折曲補助手段８ｂは、サイドシール部４の外側端からパウチ内側に向けて、折り曲げ予定線８ａ上を所定長さだけ連続的に延びる切れ目により構成されており、さらにパウチ内側の前記切れ目の先端には、鉤状の切れ目からなる切裂防止手段８ｃが形成されている。これにより、折曲補助手段８ｂに負荷が掛かった際に、折曲補助手段８ｂが裂けてパウチ１が破袋することが防止されている。
【００２４】
折曲補助手段８ｂは、上述した連続的に延びる切れ目に限らず、ミシン目のような断続的な切れ目とすれば、パウチ破袋のおそれを低減することができる。加えて、サイドシール部４の外側端と内縁端の中途部に位置するよう設けてもよい。この場合は、図２(Ｃ)に示すように、折曲補助手段８ｂの両端に切裂防止手段８ｃを設けると好適である。
さらに、切れ目だけではなく、要するに局部的に曲げ剛性が低くなっていればよく、溝形状に癖付けされていてもよいし、薄肉になっていてもよいし、スリットに限らず、孔が空けられていてもよい。
【００２５】
また、折り曲げ部８下だけではなくその近傍に折曲補助手段８ｂを複数設けることで、パウチ上部１Ａを折り曲げやすく、かつ折り曲げ部８にかかる弾性復帰力によって発生する折り曲げ部８を開く方向のモーメントを低減できる。また、折り曲げ部８下のサイドシール部４近辺を外縁側より切り欠いて折曲補助手段８ｂとすることもできる。
また、切裂防止手段８ｃはパウチ内縁側から離れる方向に折曲補助手段８ｂを誘導でき
ればよく、折曲補助手段８ｂが連続的な切れ目である場合には鉤形状以外にも、円弧状、Ｔ字状など、種々の形状を採用できる。
【００２６】
次に、第１係合部１０Ａ,１０Ｂの構成について、図２及び図３を参照して詳細に説明
する。
第１係合部１０Ａ、１０Ｂは、サイドシール部上部４Ａ側に設けられる切れ目１２ａと、サイドシール部本体部４Ｂ側に設けられる切れ目１２ｂとから形成される係止片１１ａ, １１ｂからなる。
【００２７】
サイドシール部上部４Ａの切れ目１２ａは、上方に向かって一部開いた円形の切れ目であって、サイドシール部本体部４Ｂに向かって変形可能な係止片１１ａを切り出し形成する。また、切れ目１２ａの開放端から所定長さだけ上方に直線的に延びる一対の連結部用切れ目１４ａにより、連結部１３ａが所定長さの帯状の連結片として切り出し形成されている。これにより、係止片１１ａは、切れ目１２ａの開放端間の連結部１３ａを介してサイドシール部上部４Ａと連結されている。
【００２８】
また、サイドシール部本体部４Ｂの切れ目１２ｂは、下方に向かって一部開いた円形の切れ目であって、サイドシール部上部４Ａの係止片１１ａと重なって変形する係止片１１ｂを、重なり片として切り出し形成する。また、切れ目１２ｂの開放端から所定長さだけ下方に直線的に延びる一対の連結部用切れ目１４ｂにより、連結部１３ｂが所定長さの帯状の連結片として切り出し形成されている。これにより、係止片１１ｂは、切れ目１２ｂの開放端間の連結部１３ｂを介してサイドシール部本体部４Ｂと連結されている。
【００２９】
なお、連結部用切れ目１４ｂには、切れ目１２ｂとの付け根部に、連結部用切れ目１４ｂ間の間隔を局部的に狭める幅狭部１５が設けられている。この幅狭部１５の間隔Ｗ２は連結部用切れ目１４ａ間の間隔Ｗ１より狭く、係止片１１ａを保持するものである。
【００３０】
また、係止片１１ａは、サイドシール部本体部４Ｂの切れ目１２ｂに係合して、摩擦力によって係止可能である。すなわち、係止片１１ａをサイドシール部本体部４Ｂ側に向かって押し込むと、係止片１１ａが弾性変形して切れ目１２ｂを通り抜け、通り抜けて弾性復帰した部分が切れ目１２ｂの縁部に係止可能な構成となっており、たとえば係止片１１ａを切れ目１２ｂよりも大きな形状とすることで、締結強度は向上する。
なお、係止片１１ａの連結部１３ａの幅を、固定端部の両端から自由端側に向けて徐々に広がる方向とすることで、係止片１１ａがサイドシール部本体部４Ｂ側の幅狭部１５に向けて突出する部分に引っ掛かりやすく、かつ上述した係止片１１ａの弾性復帰作用により、強固に係止可能である。
【００３１】
また、係止片１１ａ，１１ｂを構成する切れ目１２ａ，１２ｂは、同一の形状，大きさを有し、折り曲げ予定線８ａに対して線対称の位置に形成されている。このため、パウチ上部１Ａをパウチ本体部１Ｂに対して折り曲げた際、係止片１１ａと係止片１１ｂが重なり合うと共に、連結部１３ａ，１３ｂについても重なり合う。そして、パウチ上部１Ａ側から係止片１１ａ，１１ｂを押し込むことにより、係止片１１ａに連なる連結部１３ａが、連結部１３ｂの幅狭部１５を乗り越え、連結部１３ａの縁に幅狭部１５が係合して、折り曲げたサイドシール部上部４Ａとサイドシール部本体部４Ｂ間を結合する構成となっている。また、係止片１１ａと係止片１１ｂを重ねて折返し部１７とし、折返し部１７をサイドシール部本体部４Ｂに突き出す方向に変形させることで、サイドシール部上部４Ａとサイドシール部本体部４Ｂを貫通する貫通孔１６が形成される。
【００３２】
本実施の形態によれば、仮固定の際、パウチ上部１Ａをパウチ本体部１Ｂに対して折り曲げ予定線８ａ位置で折り曲げる。本実施の形態では、折曲補助手段８ｂによって、サイ
ドシール部の折り曲げ部８に対応する部分が局部的に曲げ剛性が低くなっているので、パウチ上部１Ａをパウチ本体部１Ｂに対して折り曲げ易い。
また、折曲補助手段８ｂによって、折り曲げ予定線８ａ位置で正確に折り曲げることができ、折り曲げたパウチ上部１Ａのサイドシール部上部４Ａと、パウチ本体部１Ｂのサイドシール部本体部４Ｂを互いに重ね合わせると、第１係合部１０Ａ、１０Ｂも互いに重なり合い、第１係合部１０Ａ、１０Ｂの係合作業も容易にできる。
さらに、第１係合部１０Ａ，１０を係合した状態においても、折り曲げ部８を開く方向に作用する弾性復帰力は小さいので、第１係合部１０Ａ、１０Ｂの変形も小さく、第１係合部１０Ａ、１０Ｂの切れ目をサイドシール部４の中途部に設けたことと相俟って、第１係合部１０Ａ、１０Ｂの係合が外れにくい構造となっている。
【００３３】
また、折曲補助手段８ｂのパウチ内側に、切裂防止手段８ｃが設けられているので、折曲補助手段８ｂに沿って切れ目がパウチ内側に裂けることを防止することができ、より効果的に内容物の漏洩を防止することができる。
さらに、第１係合部１０Ａ、１０Ｂをサイドシール部の中途部に設けたこと、加えて連結部用切れ目１４ｂに設けられた幅狭部１５によって、係止片１１ａを保持可能としているので、第１係合部１０Ａ、１０Ｂに一層大きな力が作用した場合であっても、係合部を外れにくい構造とすることができる。
したがって、パウチを折り曲げたままで運搬及び販売することが可能となり、搬送効率および収容効率に優れたパウチを供することができる。また、パウチの一部を折り曲げると、パウチの一部（上部であればヘッドスペース部）の気体がパウチ本体部に移動し、パウチ本体部の内圧が折り曲げ前と比べて高まるため、平面フィルムが前後に膨らんで把持しやすい形状となる。
以上説明したように、この実施例では、折り重ねたサイドシール部上部４Ａとサイドシール部本体部４Ｂを結合する第１係合部１０Ａ，１０Ｂは、いずれも折り曲げたサイドシール部上部４Ａ側から係止片１１ａを押し込んで係合するように構成されており、第１係合部１０Ａ，１０Ｂの結合操作の容易化を図っている。
【００３４】
なお、上記実施例では、第１係合部１０Ａ，１０Ｂの片側１カ所ずつ、合計２カ所の係合部によって結合するようになっているが、係合部の数、配置は任意に設定できる。また、左右のサイドシール部の係合部の数が異なっていてもよい。また、複数の係合部が設けられている場合は、係止片を押し込む方向も任意であり、例えば、第１係合部１０Ａ，１０Ｂが２箇所（パウチ上部１Ａに第１係合部１０Ａが２箇所、パウチ本体部１Ｂに第１係合部１０Ｂが２箇所）の場合、一方をサイドシール部上部４Ａ側からサイドシール部本体部４Ｂ側に押し込み、他方をサイドシール部本体部４Ｂ側からサイドシール部上部４Ａ側に押し込んで結合する構成となっていてもよい。また、重なり片として切り出し成形される第１係合部１０Ｂの係止片１１ｂは、必要に応じて第１係合部１０Ｂより切除してもよい。
【００３５】
次に、係合部についての各種形態例について説明する。
以下の説明で、上記実施の形態と同一の構成部分については、同一の符号を付し、説明は省略する。特に、折曲補助手段８ｂ及び引裂防止部８ｃは同様の構成である。
【００３６】
［参考例］
図４は、本発明の参考例に係るパウチの係合部の構造を示している。
この参考例の第２係合部２０Ａ，２０Ｂは、サイドシール部上部４Ａ及びサイドシール部本体部４Ｂに形成される係止片２１ａ，２１ａ及び係止片２１ｂ，２１ｂが、自由端側を突き合わせる形で一対ずつ設けられた構成となっている。
【００３７】
サイドシール部上部４Ａには、縦方向切れ目２２ａ１と、横方向切れ目２２ａ２と、カ
ール部２２ａ３からなる切れ目２２ａによって、サイドシール部本体部４Ｂ側に変形可能な一対の係止片２１ａ、２１ａが、その自由端が突き合わされるように切り出し形成されている。これにより、一対の係止片２１ａ、２１ａは、互いに反対側に位置する固定端部を屈曲起点として、各係止片が片持ち状態で両開き形状となる。また、サイドシール部本体部４Ｂには、切れ目２２ａと同様の切れ目２２ｂによって、一対の係止片２１ｂ、２１ｂが重なり片として切り出し形成されている。
【００３８】
パウチ上部１Ａが折り曲げられると、一対の係止片２１ｂ、２１ｂは、サイドシール部本体部４Ｂ側に押し込まれた係止片２１ａ、２１ａと重なってサイドシール部本体部４Ｂの裏面側に屈曲変形し、重なったサイドシール部上部４Ａとサイドシール部本体部４Ｂ間を貫通する貫通孔２５が形成されるようになっている。また、一対の係止片２１ａ、２１ａ、一対の係止片２１ｂ、２１ｂからなる折返し部２３，２３は、貫通孔２５のサイドシール部本体部４Ｂ側の周縁に折り返された構成となり、サイドシール部本体部４Ｂ側のサイドシール部上部４Ａとは反対側の側面に突出した状態で折り返して固定される。
【００３９】
上記した複数の係止片と重なり片からなる係合部によれば、締結強度を一層高めることができる。また、各係止片２１ａ、２１ａと係止片２１ｂ、２１ｂが片持ち状態で両開き
形状となるため、貫通孔２５を大きく設けることができ、例えばパウチ１を吊り下げる場合に、貫通孔２５と図示しない吊り下げ用部材との位置合わせが容易となる。
また、カール部２２ａ３、２２ｂ３のような鉤型の切れ目によって、係止片の亀裂進行が抑止されているため、過重により貫通孔２５に亀裂が発生しても内容物が漏洩してしまうのを防止することができる。なお、前記したカール部２２ａ３の形状は適宜選択することができ、本参考例の他の係合部に適用することもできる。
【００４０】
[他の参考例]
図５は、本発明の他の参考例に係るパウチの係合部の構造を示している。
この参考例の第３係合部３０Ａ，３０Ｂは、サイドシール部上部４Ａに形成される係止片３１ａ，３１ａ、及びサイドシール部本体部４Ｂに形成される係止片３１ｂ，３１ｂが、自由端側が互いに反対側になるように所定寸法だけ隔てて一対設けられた構成となっている。
【００４１】
サイドシール部上部４Ａには、切れ目３２ａによってサイドシール部本体部４Ｂ側に変形可能な一対の係止片３１ａ，３１ａが形成され、サイドシール部本体部４Ｂには、切れ目３２ｂによって、サイドシール部上部４Ａ側の係止片３１ａ，３１ａと重なってサイドシール部本体部４Ｂのサイドシール部上部４Ａと反対側の側面側に変形する係止片３１ｂ，３１ｂが設けられている。そして、サイドシール部上部４Ａの係止片３１ａ，３１ａは、その自由端が互いに反対側に位置するように、サイドシール部上部４Ａに切れ目３２ａを入れた構成となっており、固定端部を屈曲起点として、各係止片係止片３１ａ，３１ａが片持ち状態でコの形状に開く構成となっている。この第３係合部３０も、実施の形態２と同様に、サイドシール部上部４Ａとサイドシール部本体部４Ｂを結合すると共に貫通孔３５が形成される。この場合、貫通孔３５は２カ所に形成される。
【００４２】
また、係止片３１ａ，３１ｂ、および係止片３１ａ、３１ｂからなる折返し部３３，３３は、貫通孔３５のサイドシール部本体部４Ｂ側の周縁に自由端が向かい合うように折り返された構成となり、サイドシール部本体部４Ｂ側のサイドシール部上部４Ａとは反対側の側面に突出した状態で折り返して固定される。
【００４３】
上記した複数の係止片と重なり片からなる係合部によれば、締結強度を一層高めることができる。また、サイドシール部上部４Ａとサイドシール部本体部４Ｂを結合すると共に貫通孔３５を複数（本実施例では２箇所）に形成することができ、例えばパウチ１を吊り
下げる場合に、２箇所の貫通孔３５の所望の高さ位置を選択することができ、高さ位置における自由度を増すことができる。
【００４４】
[他の参考例]
図６は、本発明のさらに他の参考例に係るパウチの係合部の構造を示している。
この参考例に記載の第４係合部４０Ａ，４０Ｂは、図６に示すように、サイドシール部上部４Ａに形成される係止片４１ａ、及びサイドシール部本体部４Ｂに形成される係止片４１ｂが、重なり合った折返し部４３を、縫い合わせるように、押え用切れ目４４を通過させて、さらにサイドシール部上部４Ａ側に突出させるように構成したものである。
【００４５】
サイドシール部上部４Ａには、切れ目４２ａによってサイドシール部本体部４Ｂ側に変形可能な係止片４１ａが形成され、サイドシール部本体部４Ｂには、切れ目４２ｂによって、サイドシール部上部４Ａ側の係止片４１ａと重なってサイドシール部本体部４Ｂのサイドシール部上部４Ａと反対の側面側に変形する係止片４１ｂが設けられている。
【００４６】
サイドシール部上部４Ａ側の係止片４１ａとサイドシール部本体部４Ｂ側の係止片４１ｂは、固定端部を起点として自由端部側が撓み変形する片持ち形状となっており、係止片４１ａと４１ｂを重ねた状態で折返し部４３として、サイドシール部本体部４Ｂ側に屈曲させて押し込んだ後、サイドシール部本体部４Ｂ側のサイドシール部上部４Ａとは反対側の側面に突出した折返し部４３を折り返し、さらに貫通孔４５から所定距離離間した位置に設けられた押え用切れ目４４に差し込んで固定する。このとき、重なったサイドシール部上部４Ａとサイドシール部本体部４Ｂ間を貫通する貫通孔４５が形成されるようになっている。
【００４７】
上記形状によれば、締結強度を高めることができ、係合部が外れることによってパウチ上部が復元するおそれがなく、様々な用途に前記パウチを用いることができる。なお、上記実施形態において、押え用切れ目４４の幅は係止片４１ａ、４１ｂと略同幅であるが、その切れ目を係止片４１ａ、４１ｂの幅より長くすることで差し込み易くすることができる。また、押え用切れ目４４から突出した折返し部４３を、押え用切れ目４４を起点として貫通孔４５側に更に折り曲げることで、締結強度をより一層高めることができる。
【００４８】
[他の実施の形態]
図７は、本発明の他の実施の形態に係るパウチの係合部の構造を示している。
この実施の形態では、第５係合部５０Ａ，５０Ｂ(他の一対の係合部)は、図７に示すように、サイドシール部上部４Ａに形成される係止片５１ａ、及びサイドシール部本体部４Ｂに形成される係止片５１ｂからなる。なお図示の例では、前述の第１係合部１０Ａ，１０Ｂが併設されている。
【００４９】
切れ目５２ａは、サイドシール部上部４Ａの内側縁側が一部開いたループ形状で、上方に突出する逆Ｕ字形状の上部切れ目５２ａ１と、下方に突出するＵ字形状の下部切れ目５２ａ２と、上部切れ目５２ａ１と下部切れ目５２ａ２の外側端部間を接続する直線状の側方切れ目５２ａ３とを備えている。側方切れ目５２ａ３は直線状であるが、湾曲していてもよい。さらに、上部切れ目５２ａ１のループ端より上方に向かって円弧状に曲がる上端末切れ目５２ａ４と、下端部切れ目５２ａ２のループ端より下方に向かって円弧状に曲がる下端末切れ目５２ａ５とが、後述する固定端部を拡げる方向に設けられている。
【００５０】
前記上端末切れ目５２ａ４と下端末切れ目５２ａ５間の上下方向の間隔は、上部切れ目５２ａ１と下部切れ目５２ａ２間の上下方向の最大幅よりも狭い。この切れ目５２ａは、係止片５１ａを縁取るものであり、係止片５１ａは内側の上端末切れ目５２ａ４と下端末
切れ目５２ａ５間の連結部分を固定端として自由端側が自由に撓み変形する片持ち形状となっている。また、固定端はサイドシール部の内側縁側で、自由端はサイドシール部４の外側縁側である。すなわち、係止片５２ａは、付け根の固定端部より自由端側が上下に張り出す上部切れ目５２ａ１と下部切れ目５２ａ２を備えたＴ字形状となっている。すなわち、係止片５１ａは、付け根の固定端部より自由端側が上下に張り出す上部張り出し部５３ａ１と下部張り出し部５３ａ２を備えたＴ字を横倒しにした  形状となっている。なお、固定端および自由端のサイドシール上の位置については、特に限定されるものではない。  
【００５１】
一方、切れ目５２ｂも、サイドシール部本体部４Ｂの内側縁側が一部開き外側縁側に円弧状に湾曲した側方湾曲切れ目５２ｂ３を備えた湾曲形状で、その内側縁側端部は、ループ端に向かって固定端部を狭める方向に円弧状に湾曲した上端末切れ目５２ｂ４と、下端末切れ目５２ｂ５とを備えている。  この切れ目５２ｂによって、サイドシール部上部４Ａの係止片５１ａと重なって変形する係止片５１ｂが形成されている。また、切れ目５１ｂの上端末切れ目５２ｂ４と下端末切れ目５２ｂ５の最大幅は、切れ目５１ａの上端末切れ目５１ａ４と下端末切れ目５１ａ５の最小幅より若干大きく、パウチ上部１Ａをパウチ本体部１Ｂに折り曲げた際には、図７（Ｂ）に示すように、係止片５１ａと係止片５１ｂが重なるように折り曲げられる。
【００５２】
切れ目５２ａによって形成される係止片５１ａの上部張り出し部５３ａ１と下部張り出し部５３ａ２は、切れ目５２ｂの側方湾曲切れ目５２ｂ３の輪郭に対して外側に突出するよう形成されている。そして、サイドシール本体部４Ｂ側に押し込まれた際、弾性変形して側方湾曲切れ目５２ｂ３を通り抜けた後に弾性復帰し、サイドシール部本体部４Ｂの側方湾曲切れ目５２ｂ３の外縁部に係合して、サイドシール部上部４Ａとサイドシール部本体部４Ｂが結合される。
【００５３】
本実施形態では、係止片５１ａと共に係止片５１ｂが撓み変形するので、係止片５１ａを大きく撓ませることができ、側方湾曲切れ目５２ｂ３に係合させやすい。また、係止片５１ａが係合する切れ目５２ｂの側方湾曲部５３ｂが、円弧状に湾曲しているので、係止片５１ａの上部張り出し部５３ａ１、下部張り出し部５３ａ２がスムーズに切れ目５２ｂの切れ目を通り抜けやすく、結合操作がしやすい。また、他の実施形態と異なり、係止片の連結部位を強く屈曲させなくても十分な締結強度が得られる。
【００５４】
なお、係止片５１ａは上部張り出し部５３ａ１及び下部張り出し部５３ａ２を備えたＴ字形状である必要はなく、サイドシール部本体部４Ｂ側に変形しサイドシール部本体部４Ｂ側の切れ目５２ｂに係合するような係止片５１ａであれば、形状は任意である。
また、切れ目５２ｂについても、湾曲形状に限定されるものではなく、係止片５１ａが係合可能な構成となっていればよく、要するに、サイドシール部上部４Ａから他方のサイドシール部本体部４Ｂ側に向かって変形する係止片５１ａを保持する構成となっていればよい。さらに、上記実施の形態では、切れ目５２ａと切れ目５２ｂが一組だけの場合について説明したが、複数組設けられていてもよい。
【００５５】
上記形状によれば、係止片５１ａと共に係止片５１ｂが撓み変形するので、係止片５１ａを大きく撓ませることができ、パウチ上部１Ａとパウチ本体部１Ｂを容易に締結することができ、また、押し込まれた張り出し部５３ａ１及び５３ａ２がパウチ本体部１Ｂに引っかかる形状であるので、パウチの幅方向の応力に対して強い締結力を発揮する。さらに、図７に示すように第１係合部１０Ａ及び１０Ｂなど、折り返しの向きが異なる係合部と組み合わせることで、締結強度をより一層高めることができ、好適である。
【００５６】
なお、上記実施の形態及び参考例では、サイドシール部上部４Ａ側に係止片が形成され、サイドシール部本体部４Ｂ側に係止片が保持される切れ目が設けられる構成を例にとって説明したが、係止片をサイドシール部本体部４Ｂ側に設け、サイドシール部上部４Ａ側の切れ目に係合するような構成としてもよいことはもちろんである。また、係止片を同一サイズではなく、挿入する係止片を若干大きくすることで、さらに締結強度を高めることができる。
【００５７】
[別の実施形態] 
図８は、本発明のさらに別の実施の形態を示している。
この別の実施の形態では、図１に示した構成のパウチ１の構成において、図８（Ａ）〜（Ｄ）に示すように、サイドシール部４の一部がパウチ内方に向けて幅広となる幅広部９が設けられている。また、折曲補助手段としての折曲補助手段８ｂ及び切裂防止手段８ｃは、幅広部９の幅に対応して形成されている。そして、例えば第１係合部１０Ａ，１０Ｂを幅広部９内に設け、この第１係合部１０Ａ，１０Ｂを介して、重ね合わせたサイドシール部上部４Ａとサイドシール部本体部４Ｂ間を結合状態とする構成となっている。なお、前記幅広部は、２つあるサイドシール部４の片方のみに設けてもよく、また、パウチ内方への張り出し量（幅広部９の横幅）についても任意である。
【００５８】
上記の別の実施形態によれば、パウチ１の曲げ剛性の高い幅広部９の曲げ剛性を折曲補助手段８ｂにより低下させることで、パウチ上部１Ａをパウチ本体部１Ｂに対して折り曲げ易く、第１係合部１０Ａ、１０Ｂを係合させて仮固定とした状態においても、弾性復帰力に起因する折り曲げ部８を開く方向のモーメントも小さく、係合部の変形も小さくなり、係合部が外れにくい。また、幅広部９は剛性が高く、サイドシール部４の他の部分と比べて幅広であるため、パウチを持つ際に持手とすることもできる。これにより、内容物Ｗの流動圧によって、折り曲げられたパウチ上部１Ａが起き上がる方向に復元するおそれがなく、パウチ１は安定した形状を保つことができる。
【００５９】
なお、本発明では、パウチとしてスタンディングパウチを例にとって説明したが、三方シール、四方シール等の平パウチ構成でもよいし、その他種々の構成のパウチについて適用することができる。また、この例では、サイドシール部上部とサイドシール部本体部の重なり合う部分に係合部を設けて結合する構成について説明したが、これに限定されるものではなく、たとえば、上辺シール部とサイドシール部を結合することもできるし、上辺シール部と底辺シール部を結合するように構成してもよいし、パウチの大きさやヒートシール部の構成に応じて種々の構成を採用することができる。また、上記各実施の形態によれば、パウチを折り曲げたままで運搬及び販売することが可能となり、搬送効率および収容効率に優れたパウチを供することができる。
【符号の説明】
【００６０】
１ パウチ
１Ａ  パウチ上部、
１Ｂ  パウチ本体部
２  平面フィルム、３  底部フィルム
４  サイドシール部
４Ａ  サイドシール部上部
４Ｂ  サイドシール部本体部
５  上辺シール部  
６  底部シール部
７  ポイントシール部
８  折り曲げ部
８ａ    折り曲げ予定線、８ｂ    折曲補助手段、８ｃ    切裂防止手段
９  幅広部
１０  第１係合部 （１０Ａ，１０Ｂ）（実施の形態１）
１１ａ  上部係止片、１１ｂ  本体部係止片
１２ａ  上部切れ目、１２ｂ  本体部切れ目
１３ａ  上部連結部、１３ｂ  本体部連結部、
１４ａ  上部側連結部用切れ目、  １４ｂ  本体部側連結部用切れ目
１５  幅狭部
１６  貫通孔
１７  折返し部
Ｗ    内容物
２０    第２係合部（２０Ａ，２０Ｂ）（実施の形態２）
２１ａ  係止片、２１ｂ  係止片、
２２ａ  切れ目、２２ｂ  切れ目
２２ａ１  縦方向切れ目、２２ｂ１  縦方向切れ目、
２２ａ２  横方向切れ目、２２ｂ２  横方向切れ目、
２２ａ３  カール部、２２ｂ３  カール部、
２３  折返し部
２５  貫通孔
３０    第３係合部（３０Ａ，３０Ｂ）（実施の形態３）
３１ａ  係止片、３１ｂ  係止片
３２ａ  切れ目、３２ｂ  切れ目
３３  折返し部
３５  貫通孔
４０    第４係合部（４０Ａ，４０Ｂ）（実施の形態４）
４１ａ  係止片、４１ｂ  係止片
４２ａ  切れ目、４２ｂ  切れ目
４３  折返し部
４４  押え用切れ目
４５  貫通孔
５０  第５係合部（５０Ａ，５０Ｂ）（実施の形態５）
５１ａ  係止片
５２ａ  切れ目
５２ａ１  上部切れ目、５２ａ２  下部切れ目
５２ａ３  側方切れ目、５２ａ４  上端末切れ目、
５２ａ５  下端末切れ目
５３ａ１  上部張り出し部
５３ａ２  下部張り出し部
５１ｂ  係止片
５２ｂ  切れ目
５２ｂ３  側方湾曲切れ目、５２ｂ４  上端末切れ目、
５２ｂ５  下端末切れ目
５３ｂ  側方湾曲部
【図１】
0005862067.tif 000002
【図２】
0005862067.tif 000003
【図３】
0005862067.tif 000004
【図４】
0005862067.tif 000005
【図５】
0005862067.tif 000006
【図６】
0005862067.tif 000007
【図７】
0005862067.tif 000008
【図８】
0005862067.tif 000009